(57)【特許請求の範囲】
【請求項１】
断熱材と防水シートとからなる防水層が、固定具で、躯体の表面に固定されている防水構造体の製造方法であって、
先ず、該躯体の表面に、該断熱材を載置し、
次いで、ビス頭の平面形状が外周上の異なる２点で軸心からの長さが異なっている形状である固定ビスと、樹脂製であり且つ該固定ビスのビス頭の周囲を囲むためのビス頭回転抑止部材と、樹脂製であるか又は少なくとも該ビス頭回転抑止部材が接合される部位が樹脂で被覆されている固定板と、からなる固定具を、該ビス頭回転抑止部材及び該固定板に該固定ビスを挿通した状態で、該固定具の固定箇所の該断熱材に捻じ込み、該断熱材を貫通させ、更に、該躯体に捻じ込むことにより、該固定具により該断熱材を該躯体に固定し、
次いで、該断熱材及び該固定具を覆うように、防水シートを載置し、
次いで、固定板の防水シート側の面と該防水シートとを接合させること、あるいは、固定板の防水シート側の面及びビス頭回転抑止部材の防水シート側の面と該防水シートとを接合させことにより、防水構造体を得る防水構造体の製造方法であり、
該固定ビスを該ビス頭回転抑止部材及び該固定板に挿通する前、又は該固定ビスを該断熱材及び該躯体に捻じ込んだ後に、該ビス頭回転抑止部材と該固定板とを接合すること、
を特徴とする防水構造体の製造方法。
【請求項２】
断熱材と防水シートとからなる防水層が、固定具で、躯体の表面に固定されている防水構造体の製造方法であって、
先ず、該躯体の表面に、該断熱材を載置し、
次いで、ビス頭の平面形状が外周上の異なる２点で軸心からの長さが異なっている形状である固定ビスを、該固定ビスのビス頭及びビス頭回転抑止部材の配設空間が形成されている固定板に挿通して、該固定ビスと該固定板とを組み合わせ、次いで、該固定ビスと該固定板とを組み合わせることにより形成されるビス頭回転抑止部材の配設空間に、熱硬化性樹脂を充填した後、加熱して熱硬化性樹脂を硬化させることにより、あるいは、溶融させた熱可塑性樹脂を充填した後、冷却して固化させることにより得られる、固定ビスとビス頭回転抑止部材と固定板とからなる固定具を、該固定具の固定箇所の該断熱材に捻じ込み、該断熱材を貫通させ、更に、該躯体に捻じ込むことにより、該固定具により該断熱材を該躯体に固定し、
次いで、該断熱材及び該固定具を覆うように、防水シートを載置し、
次いで、固定板の防水シート側の面と該防水シートとを接合させること、あるいは、固定板の防水シート側の面及びビス頭回転抑止部材の防水シート側の面と該防水シートとを接合させことにより、防水構造体を得ること、
を特徴とする防水構造体の製造方法。
【請求項３】
前記ビス頭の平面形状が、軸心から外周までの長さの最小値に対する軸心から外周までの長さの最大値の比（最大値／最小値）が、１より大きい形状であることを特徴とする請求項１又は２いずれか１項記載の防水構造体の製造方法。
【請求項４】
前記ビス頭の平面形状が、多角形であることを特徴とする請求項１〜３いずれか１項記載の防水構造体の製造方法。
【請求項５】
前記ビス頭の平面形状が、楕円形であることを特徴とする請求項１〜３いずれか１項記載の防水構造体の製造方法。
【発明の詳細な説明】
【技術分野】
【０００１】
本発明は、躯体の表面に断熱材と防水シートからなる防水層が敷設されている防水構造体及び該防水構造体に用いられる防水層を躯体の表面に固定するための固定具に関するものである。
【背景技術】
【０００２】
工場の屋根上やビルの屋上等には、防水のために、断熱材と防水シートからなる防水層が敷設されていることが多い。図２０には、折れ板状の金属板の屋根に防水層が敷設されている防水構造体の一例を示す。以下、工場、ビル、学校の校舎等の事業用の建造物やマンション等の住居用の建造物の屋根、ベランダ、バルコニー等の防水層が敷設されている対象を躯体と総称する。図２０に示す防水構造体は、躯体２１上に、断熱材２２と断熱材２２を覆う防水シート２３からなる防水層２４が敷設されている。なお、図２０では、躯体２１の全体形状が分かり易いように、防水層２４を二点鎖線で示す部分で切り取った防水層２４の一部のみを図示しているが、実際は、防水層２４は、躯体２１の表面全体に敷設されている。そして、このような防水構造体では、図２１及び図２２に示すような、円形のビス頭４３と側面にネジ山が形成されている軸４２と先端部４４で構成されている固定ビス４１、及び挿通孔４６の内周面に平面形状が円形の座繰り部４７が形成されている固定板４５からなる固定具を用いて、防水層が固定されている。
【０００３】
この従来の防水構造体には、強風に曝されることにより、躯体に捻じ込んだ固定ビスが緩み、抜けてしまうという問題があった。
【０００４】
このような固定ビスの緩みを防ぐ方法としては、例えば、特許文献１には、建屋の梁上に設置された金属製屋根下地材の上に断熱材又は緩衝材を敷設し、該断熱材又は緩衝材を上記金属製屋根下地材に固定用ビスで機械的に固定し、更に上記断熱材又は緩衝材の上面には防水シートを敷設し当該防水シートを、上記固定用ビスにより上記断熱材又は緩衝材の上面に固定された固定ディスクで固着して構成される金属下地屋根構造において、前記金属製屋根下地材における前記固定用ビスが捻じ込まれる部分の上面に金属補強板を設置せしめ、前記固定用ビスを前記断熱材又は緩衝材を貫通して前記金属補強板と金属製屋根下地材の両者に捻じ込み固定させることを特徴とした金属下地屋根構造が開示されている。
【先行技術文献】
【特許文献】
【０００５】
【特許文献１】特開２００６−２３３５５６号公報
【発明の概要】
【発明が解決しようとする課題】
【０００６】
しかし、特許文献１のように、金属補強板を設置してもなお、強風に曝されることにより、躯体に捻じ込んだ固定ビスが緩み、抜けてしまう場合があった。
【０００７】
そこで、本発明の目的は、強風に曝されても、躯体に捻じ込んだ固定ビスが緩み難い防水構造体を提供することにある。
【課題を解決するための手段】
【０００８】
このような目的は、以下の本発明により達成される。
（１）断熱材と防水シートとからなる防水層が、固定具で、躯体の表面に固定されている防水構造体の製造方法であって、
先ず、該躯体の表面に、該断熱材を載置し、
次いで、ビス頭の平面形状が外周上の異なる２点で軸心からの長さが異なっている形状である固定ビスと、樹脂製であり且つ該固定ビスのビス頭の周囲を囲むためのビス頭回転抑止部材と、樹脂製であるか又は少なくとも該ビス頭回転抑止部材が接合される部位が樹脂で被覆されている固定板と、からなる固定具を、該ビス頭回転抑止部材及び該固定板に該固定ビスを挿通した状態で、該固定具の固定箇所の該断熱材に捻じ込み、該断熱材を貫通させ、更に、該躯体に捻じ込むことにより、該固定具により該断熱材を該躯体に固定し、
次いで、該断熱材及び該固定具を覆うように、防水シートを載置し、
次いで、固定板の防水シート側の面と該防水シートとを接合させること、あるいは、固定板の防水シート側の面及びビス頭回転抑止部材の防水シート側の面と該防水シートとを接合させことにより、防水構造体を得る防水構造体の製造方法であり、
該固定ビスを該ビス頭回転抑止部材及び該固定板に挿通する前、又は該固定ビスを該断熱材及び該躯体に捻じ込んだ後に、該ビス頭回転抑止部材と該固定板とを接合すること、
を特徴とする防水構造体の製造方法。
（２）断熱材と防水シートとからなる防水層が、固定具で、躯体の表面に固定されている防水構造体の製造方法であって、
先ず、該躯体の表面に、該断熱材を載置し、
次いで、ビス頭の平面形状が外周上の異なる２点で軸心からの長さが異なっている形状である固定ビスを、該固定ビスのビス頭及びビス頭回転抑止部材の配設空間が形成されている固定板に挿通して、該固定ビスと該固定板とを組み合わせ、次いで、該固定ビスと該固定板とを組み合わせることにより形成されるビス頭回転抑止部材の配設空間に、熱硬化性樹脂を充填した後、加熱して熱硬化性樹脂を硬化させることにより、あるいは、溶融させた熱可塑性樹脂を充填した後、冷却して固化させることにより得られる、固定ビスとビス頭回転抑止部材と固定板とからなる固定具を、該固定具の固定箇所の該断熱材に捻じ込み、該断熱材を貫通させ、更に、該躯体に捻じ込むことにより、該固定具により該断熱材を該躯体に固定し、
次いで、該断熱材及び該固定具を覆うように、防水シートを載置し、
次いで、固定板の防水シート側の面と該防水シートとを接合させること、あるいは、固定板の防水シート側の面及びビス頭回転抑止部材の防水シート側の面と該防水シートとを接合させことにより、防水構造体を得ること、
を特徴とする防水構造体の製造方法。
（３）前記ビス頭の平面形状が、軸心から外周までの長さの最小値に対する軸心から外周までの長さの最大値の比（最大値／最小値）が、１より大きい形状であることを特徴とする（１）又は（２）の防水構造体の製造方法。
（４）前記ビス頭の平面形状が、多角形であることを特徴とする（１）〜（３）いずれかの防水構造体の製造方法。
（５）前記ビス頭の平面形状が、楕円形であることを特徴とする（１）〜（３）いずれかの防水構造体の製造方法。
【発明の効果】
【０００９】
本発明によれば、強風に曝されても、躯体に捻じ込んだ固定ビスが緩み難い防水構造体を提供することができる。
【図面の簡単な説明】
【００１０】
【図１】本発明の防水構造体の形態例を示す端面図である。
【図２】図１中の固定ビスを示す図である。
【図３】図１中のビス頭回転抑止部材を示す図である。
【図４】図１中の固定板を示す図である。
【図５】図１中の固定具を組み合わせる様子示す図である。
【図６】図１中の固定具を平面視した図である。
【図７】本発明の防水構造体を構築する方法を示す模式的な端面図である。
【図８】本発明の防水構造体を構築する方法を示す模式的な端面図である。
【図９】本発明の防水構造体を構築する方法を示す模式的な端面図である。
【図１０】本発明の防水構造体を構築する方法を示す模式的な端面図である。
【図１１】本発明の固定具の形態例に係る固定ビスを示す模式図である。
【図１２】図１１に示す固定ビスのビス頭が嵌合する座繰り部が形成されているビス頭回転抑止部材を示す模式図である。
【図１３】本発明の固定具の形態例に係る固定ビスを示す模式図である。
【図１４】図１３に示す固定ビスのビス頭が嵌合する座繰り部が形成されているビス頭回転抑止部材を示す模式図である。
【図１５】本発明の固定具の形態例を示す模式的な端面図である。
【図１６】本発明の固定具の形態例に係る固定板を示す模式図である。
【図１７】本発明の固定具の形態例に係る固定板を示す模式図である。
【図１８】本発明の固定具の形態例を示す模式図である。
【図１９】本発明の固定具の形態例に係る固定板を示す模式図である。
【図２０】防水構造体の一例である。
【図２１】従来の固定具に係る固定ビスを示す模式図である。
【図２２】従来の固定具に係る固定板を示す模式図である。
【発明を実施するための形態】
【００１１】
本発明の防水構造体は、断熱材と防水シートとからなる防水層が、固定具で、躯体の表面に固定されている防水構造体であって、
該躯体と、該断熱材と、該防水シートと、該固定具と、を有し、
該固定具は、該断熱材を貫通し該躯体に捻じ込み固定されている固定ビスと、該固定ビスが挿通される固定板と、該固定ビスのビス頭の周囲を囲むビス頭回転抑止部材と、からなり、
該固定ビスのビス頭の平面形状が、外周上の異なる２点で、軸心からの長さが異なっている形状であり、
該固定板が、樹脂製の固定板であるか又は少なくとも該ビス頭回転抑止部材が接合される部位が樹脂で被覆されている固定板であり、
該ビス頭回転抑止部材が、樹脂製であり且つ該固定板に接合しており、
該固定板の防水シート側の面が、該防水シートに接合していること、
を特徴とする防水構造体である。
【００１２】
本発明の防水構造体及び本発明の防水構造体用の固定具について、図１〜図１９を参照して説明する。図１は、本発明の防水構造体の形態例の模式的な端面図である。図２は、図１中の固定ビスを示す図であり、図２（Ａ）は、図１中の固定ビスを平面視した図であり、図２（Ｂ）は、図１中の固定ビスを図２（Ａ）のｘ方向から側面視した図であり、図２（Ｃ）は、図１中の固定ビスを図２（Ａ）のｙ方向から側面視した図であり、図２（Ｄ）は、図１中の固定ビスを平面視した図である（ただし、図２（Ｄ）では、ビス頭に形成されている十字溝の記載を省略した。）。図３は、図１中のビス頭回転抑止部材を示す図であり、図３（Ａ）は、図１中のビス頭回転抑止部材を平面視した図であり、図３（Ｂ）は、図１中のビス頭回転抑止部材を図３（Ａ）のｘ−ｘ線で切った端面図であり、図３（Ｃ）は、図１中のビス頭回転抑止部材を図３（Ａ）のｙ−ｙ線で切った端面図であり、図３（Ｄ）は、図１中のビス頭回転抑止部材を下側から見た底面図である。図４は、図１中の固定板を示す図であり、図４（Ａ）は、図１中の固定板を平面視した図であり、図４（Ｂ）は、図１中の固定板を図４（Ａ）のｘ−ｘ線で切った端面図であり、図４（Ｃ）は、図１中の固定板を図４（Ａ）のｙ−ｙ線で切った端面図であり、図４（Ｄ）は、図１中の固定板を下側から見た底面図である。図５は、図１中の固定具を組み合わせる様子示す図であり、図５（Ａ）は、側面図であり、図５（Ｂ）は、図５（Ａ）の端面図である。図６は、図１中の固定具を平面視した図である。図７〜図１０は、本発明の防水構造体を構築する方法を示す模式的な端面図である。図１１は、固定ビスの形態例を示す図であり、図１１（Ａ）は、固定ビスを平面視した図であり、図１１（Ｂ）は、固定ビスを図１１（Ａ）のｘ方向から側面視した図であり、図１１（Ｃ）は、固定ビスを図１１（Ａ）のｙ方向から側面視した図である。図１２は、図１１に示す固定ビスのビス頭が嵌合する座繰り部が形成されているビス頭回転抑止部材を示す模式図であり、図１２（Ａ）は、ビス頭回転抑止部材を平面視した図であり、図１２（Ｂ）は、ビス頭回転抑止部材を図１２（Ａ）のｘ−ｘ線で切った端面図であり、図１２（Ｃ）は、ビス頭回転抑止部材を図１２（Ａ）のｙ−ｙ線で切った端面図である。図１３は、固定ビスの形態例を示す模式図であり、図１３（Ａ）は、固定ビスを平面視した図であり、図１３（Ｂ）は、固定ビスを図１３（Ａ）のｘ方向から側面視した図であり、図１３（Ｃ）は、固定ビスを図１３（Ａ）のｙ方向から側面視した図である。図１４は、図１３に示す固定ビスのビス頭が嵌合する座繰り部が形成されているビス頭回転抑止部材を示す模式図であり、図１４（Ａ）は、ビス頭回転抑止部材を平面視した図であり、図１４（Ｂ）は、ビス頭回転抑止部材を図１４（Ａ）のｘ−ｘ線で切った端面図であり、図１４（Ｃ）は、ビス頭回転抑止部材を図１４（Ａ）のｙ−ｙ線で切った端面図である。図１５は、固定具の形態例を示す模式的な端面図である。図１６は、固定板の形態例を示す模式図であり、図１６（Ａ）は、固定板を平面視した図であり、図１６（Ｂ）は、図１６（Ａ）のｘ−ｘ線で切った端面図であり、図１６（Ｃ）は、固定板を下側から見た底面図である。図１７は、固定具の形態例を示す模式図であり、図１７（Ａ）は、固定板を平面視した図であり、図１７（Ｂ）は、図１７（Ａ）のｘ−ｘ線で切った端面図である。図１８は、本発明の固定具の形態例を示す模式図であり、図１８（Ａ）は、固定ビスと固定板とを組み合わせたときの様子を示す図であり、図１８（Ｂ）は、ビス頭回転抑止部材の配設空間に熱硬化性樹脂を充填した後の様子を示す図であり、図１８（Ｃ）は、図１８（Ｂ）中の熱硬化性樹脂を硬化して得られた固定具を示す図である。図１８（Ａ）〜（Ｃ）の左側が平面図であり、右側が端面図である。図１９は、固定板の形態例を示す模式図であり、図１９（Ａ）は、固定板を平面視した図であり、図１９（Ｂ）は、図１９（Ａ）のｘ−ｘ線で切った端面図であり、図１９（Ｃ）は、固定板を下側から見た底面図であり、図１９（Ｄ）は、図１９（Ａ）のｙ−ｙ線で切った端面図である。なお、図１、図５、図８、図９、図１０、図１５及び図１８では、説明の都合上、固定ビスを、側面図で示している。
【００１３】
図１中、防水構造体１０は、躯体２１と、躯体２１の表面に敷設されており、躯体２１の表面を覆う断熱材２２及び断熱材２２を覆う防水シート２３とからなる防水層２４と、防水層２４を固定するための固定具１１ａと、を有する。
【００１４】
固定具１１ａは、固定ビス１ａと、固定板５ａと、ビス頭回転抑止部材８ａと、からなる。固定ビス１ａは、図２に示すように、平面形状が正方形のビス頭３ａと、側面にネジ山が形成されている軸２と、先端部４で、構成されている。また、ビス頭回転抑止部材８ａは、図３に示すように、固定ビス１ａの挿通孔６ａを有している。この挿通孔６ａの内周面には、固定ビス１ａのビス頭３ａが嵌合する座繰り部７ａが形成されている。座繰り部７ａの平面形状は、正方形であり、座繰り部７ａの形状は、ビス頭３ａの形状に対応する形状である。また、図４に示すように、固定板５ａは、貫通孔３６ａを有している。
【００１５】
図５に示すように、固定具１ａでは、固定板５ａの内周面３５ａにビス頭回転抑止部材８ａの外周面３４１ａ及び底面３４２ａが嵌合され、ビス頭回転抑止部材８ａの座繰り部７ａに、固定ビス１ａのビス頭３ａが嵌合されて、固定ビス１ａと固定板５ａとビス頭回転抑止部材８ａとが組み合わされている。そのため、ビス頭回転抑止部材８ａは、固定ビス１ａのビス頭３ａの周囲を囲むようにして配設されている。
【００１６】
そして、固定ビス１ａが、断熱材２２を貫通し、躯体２１に捻じり込まれることにより、躯体２１に断熱材２２が固定されている。このとき、固定ビス１ａが、ビス頭回転抑止部材８ａの挿通孔６ａに挿通され、固定ビス１ａのビス頭３ａが、ビス頭回転抑止部材８ａの座繰り部７ａに嵌合し、且つ、ビス頭回転抑止部材８ａの外周壁３４１ａ及び底面３４２ａが、固定板５ａの内周壁３５ａに接合した状態で、固定ビス１ａが躯体２１に捻じ込み固定されている。
【００１７】
また、固定板５ａ及び固定板５ａに接合しているビス頭回転抑止部材８ａは、断熱材２２と防水シート２３の間に配置されている。そして、固定板５ａの防水シート２３側の面１２及びビス頭回転抑止部材８ａの防水シート２３側の面１２１は、防水シート２３に接合されている。
【００１８】
このような防水構造体１０は、例えば、図７〜図１０に示す方法により構築される。
【００１９】
図７に示すように、先ず、躯体２１の表面に、断熱材２２を載置する。
【００２０】
次いで、図８及び図９に示すように、ビス頭回転抑止部材８ａに固定ビス１ａを挿通させ、ビス頭回転抑止部材８ａの座繰り部７ａに固定ビス１ａのビス頭３ａを嵌合させ、固定板５ａの内周面３５ａにビス頭回転抑止部材８ａの外周面３４１ａ及び底面３４２ａを嵌合させ接合させた状態の固定具１１ａを、固定具１１ａの固定箇所の断熱材２２に捻じ込み、断熱材２２を貫通させ、更に、躯体２１に捻じ込む。そして、固定具１１ａを、断熱材２２を貫通させ、躯体２１に捻じ込むことにより、断熱材２２が、固定具１１ａにより、躯体２２に固定される。このとき、予め、ビス頭回転抑止部材８ａを固定板５ａに接合させておき、固定板５ａに接合されているビス頭回転抑止部材８ａに固定ビス１ａを挿通させた状態の固定具１１ａを、用いてもよいし、あるいは、ビス頭回転抑止部材８ａを固定板５ａに接合させないで、ビス頭回転抑止部材８ａに固定ビス１ａを挿通させて、固定ビス１ａと固定板５ａとビス頭回転抑止部材８ａとを組み合わせた状態の固定具１１ａを、用いてもよい。なお、ビス頭回転抑止部材８ａを固定板５ａに接合させないで、ビス頭回転抑止部材８ａに固定ビス１ａを挿通させて、固定ビス１ａと固定板５ａとビス頭回転抑止部材８ａとを組み合わせた状態の固定具１１ａを用いる場合は、固定ビス１ａを断熱材２２及び躯体２１に捻じ込んだ後に行われる工程間に又は工程中に、固定板５ａとビス頭回転抑止部材８ａとを接合させる。
【００２１】
次いで、図１０に示すように、断熱材２２及び固定具１１ａを覆うように、防水シート２３を載置する。
【００２２】
次いで、固定板５ａの防水シート側の面１２及びビス頭回転抑止部材８ａの防水シート側の面１２１と防水シート２３とを接合させることにより、図１に示す防水構造体１０を構築する。なお、ビス頭回転抑止部材８ａを固定板５ａに接合させないで、ビス頭回転抑止部材８ａに固定ビス１ａを挿通させて、固定ビス１ａと固定板５ａとビス頭回転抑止部材８ａとを組み合わせた状態の固定具１１ａを、断熱材２２及び躯体２１に捻じ込んでいた場合は、例えば、接合箇所の防水シート２３の上から固定具１１ａを加熱することにより、固定板５ａの防水シート側の面１２及びビス頭回転抑止部材８ａの防水シート側の面１２１と防水シート２３とを接合すると共に、ビス頭回転抑止部材８ａを固定板５ａに接合させることができる。
【００２３】
防水構造体１０の固定具５ａでは、図６に示すように、正方形の平面形状のビス頭３ａが、平面形状が正方形であるビス頭回転抑止部材８ａの座繰り部７ａに嵌合しており、且つ、ビス頭回転抑止部材８ａが固定板５ａに接合しているので、固定ビス１ａは、固定板５ａ及びビス頭回転抑止部材８ａごと回転しない限り、符号１３の向きに回転することができない。
【００２４】
そして、防水構造体１０では、固定板５ａは、防水シート２３に固定されているので、防水構造体１０が強風に曝されても、固定板５ａが回転することはない。そのため、防水シート２３に固定されている固定板５ａ及び固定板５ａに接合されているビス頭回転抑止部材８ａにより、固定ビス１ａの回転が抑制され、防水構造体１０が強風に曝されても、固定ビス１ａが緩むことはない。
【００２５】
図２に示すように、固定ビス１ａのビス頭３ａの形状は、四角形なので、ビス頭３ａの平面形状は、外周上の異なる２点で、軸心から外周までの長さが異なっている。図２（Ｄ）中、第一点３１及び第二点３２を、ビス頭３ａを平面視したときの外周上の異なる２点とすると、軸心３３から第一点３１までの長さＬ１と、軸心３３から第二点３２までの長さＬ２は、異なっている。
【００２６】
そして、外周上の異なる２点で、軸心から外周までの長さが異なっている平面形状のビス頭は、座繰り部と嵌合すると、座繰り部により回転が抑制されるため、座繰り部内で回転することができなくなる。
【００２７】
一方、図２１及び図２２に示すような、従来の防水構造体で用いられている固定具は、ビス頭４３の平面形状が円形の固定ビス４１と、平面形状が円形の座繰り部４７が形成されている固定板４５と、からなる。円形は、外周上の異なるどの２点を選んでも、軸心からの長さが同じである。図２１（Ｄ）に示すように、Ｌ１とＬ２の長さが同じである。そのため、平面形状が円形のビス頭が円形の座繰り部と嵌合しても、座繰り部がビス頭の回転を抑制することはないので、平面形状が円形のビス頭は、座繰り部内で回転することができる。
【００２８】
すなわち、本発明の防水構造体は、断熱材と防水シートとからなる防水層が、固定具で、躯体の表面に固定されている防水構造体であって、
該躯体と、該断熱材と、該防水シートと、該固定具と、を有し、
該固定具は、該断熱材を貫通し該躯体に捻じ込み固定されている固定ビスと、該固定ビスが挿通される固定板と、該固定ビスのビス頭の周囲を囲むビス頭回転抑止部材と、からなり、
該固定ビスのビス頭の平面形状が、外周上の異なる２点で、軸心からの長さが異なっている形状であり、
該固定板が、樹脂製の固定板であるか又は少なくとも該ビス頭回転抑止部材と接合される部位が樹脂で被覆されている固定板であり、
該ビス頭回転抑止部材が、樹脂製であり且つ該固定板に接合しており、
該固定板の防水シート側の面が、該防水シートに接合していること、
を特徴とする防水構造体である。
【００２９】
躯体は、断熱材と防水シートからなる防水層が敷設されている対象である。図１に示す形態例では、防水層が敷設されている躯体の材質は、金属板であるが、これに限定されるものではなく、躯体の材質としては、金属板、コンクリート、軽量コンクリート、パネル材、木材等が挙げられる。また、図１に示す形態例では、躯体の表面形状が、折れ板状に加工された形状であるが、これに限定されるものではなく、躯体の形状としては、平板状の形状、折れ板状の形状等が挙げられる。
【００３０】
防水層は、断熱材と防水シートにより構成されている。断熱材の材質としては、通常、建物の断熱に用いられる断熱材であれば、特に制限されず、発泡ポリスチレン、ポリウレタンフォーム、ポリイソシアヌレートフォーム、フェノールフォーム等が挙げられる。断熱材の厚みは、特に制限されず、必要に応じて適宜選択される。
【００３１】
防水シートの材質は、防水性と耐候性を有し、通常、建物の防水シートとして用いられるものであれば、特に制限されず、ポリ塩化ビニル樹脂、ポリオレフィン系樹脂、エチレン酢酸ビニル共重合体等の軟質の合成樹脂、合成ゴム系の材質等が挙げられる。これらのうち、防水シートの材質としては、ポリ塩化ビニル樹脂が、溶剤溶着性や熱融着性に優れる点で、好ましい。防水シートの厚みは、特に制限されず、必要に応じて適宜選択される。
【００３２】
本発明の防水構造体に係る固定具は、固定ビスと、固定板と、ビス頭回転抑止部材と、からなる。固定具は、固定板の貫通孔に挿通させた状態で、固定ビスが断熱材を貫通し躯体に捻じり込み固定されることにより、断熱材を固定する部材であり、且つ、固定板の防水シート側の面が防水シートに接合することにより、防水シートを固定する部材でもある。
【００３３】
固定ビスは、固定ビスの先端部を、金属板やコンクリート等の躯体に打ち込むことにより、躯体に孔を空け、固定ビスを回転させることにより、側面のネジ山で躯体に開けられた孔にネジ山を切ることができるような構造を有している。
【００３４】
固定ビスのビス頭の平面形状は、外周上の異なる２点で、軸心からの長さが異なっている形状、すなわち、外周上の異なる２点である第一点及び第二点において、軸心から第一点までの長さと軸心から第二点までの長さが異なっている形状である。なお、本発明において、固定ビスのビス頭の平面形状とは、捻じ込み方向に固定ビスを見たときのビス頭の形状である。
【００３５】
ビス頭の平面形状は、軸心から外周までの長さの最小値に対する軸心から外周までの長さの最大値の比（最大値／最小値）が、１より大きい形状である。そして、ビス頭の平面形状において、軸心から外周までの長さの最小値に対する軸心から外周までの長さの最大値の比（最大値／最小値）が、１．０５以上、１．１以上、１．１５以上、１．２以上、１．２５以上、１．３以上、１．３５以上、１．４以上、１．４５以上、１．５以上とのように、大きくなるほど、本発明の効果が高まる点で好ましい。例えば、図２に示す固定ビス１ａでは、軸心３３から外周までの長さが最小となる外周上の点は、第一点３１であり、また、軸心３３から外周までの長さが最大となる外周上の点は、第二点３２であるので、軸心から外周までの長さの最小値はＬ１であり、軸心から外周までの長さの最大値はＬ２である。よって、軸心から外周までの長さの最小値に対する軸心から外周までの長さの最大値の比とは、図２に示す固定ビス１ａでは、「Ｌ２／Ｌ１」である。
【００３６】
外周上の異なる２点で、軸心からの長さが異なっている形状としては、楕円形が挙げられる。図１１には、ビス頭の平面形状が楕円形である固定ビスの形態例を示す。図１１に示すように、固定ビス１ｂは、平面形状が楕円形のビス頭３ｂと、側面にネジ山が形成されている軸２と、先端部４で、構成されている。楕円形では、軸心から外周までの長さが最小となる外周上の点は、短軸と交差する外周上の点であり、また、軸心から外周までの長さが最大となる外周上の点は、長軸と交差する外周上の点である。よって、軸心から外周までの長さの最小値に対する軸心から外周までの長さの最大値の比は、「長軸の半径／短軸の半径」である。
【００３７】
外周上の異なる２点で、軸心からの長さが異なっている形状としては、三角形、四角形、五角形、六角形等の多角形が挙げられる。また、ビス頭の平面形状が多角形の場合、ビス頭の平面形状は、正三角形、正方形、正五角形、正六角形等の正多角形であっても、直角三角形、長方形等の正多角形ではない多角形であってもよい。なお、ビス頭の平面形状に係る多角形の形状とは、全体形状が略多角形である形状を指し、多角形には、各頂点に明確な角がある形状に加え、各頂点近傍が丸みを帯びた形状も含まれる。
【００３８】
図１３には、ビス頭の形状が正六角形である固定ビスの形態例を示す。図１３に示すように、固定ビス１ｃは、平面形状が正六角形のビス頭３ｃと、側面にネジ山が形成されている軸２と、先端部４で、構成されている。正六角形等の正多角形では、軸心から外周までの長さが最小となる外周上の点は、正六角形等の正多角形の各辺の中点であり、また、軸心から外周までの長さが最大となる外周上の点は、正六角形等の正多角形の各頂点である。よって、軸心から外周までの長さの最小値に対する軸心から外周までの長さの最大値の比は、「軸心から正六角形等の正多角形の各頂点までの長さ／軸心から正六角形等の正多角形の各辺の中点までの長さ」である。
【００３９】
他に、外周上の異なる２点で、軸心からの長さが異なっている形状としては、例えば、円周の１箇所又は２箇所以上に円周の外側に向かって突出している凸部を有する円状の形状、円周の１箇所又は２箇所以上に円周の内側に向かって凹んでいる凹部を有する円状の形状等が挙げられる。
【００４０】
固定ビスの材質としては、特に制限されず、鉄、ステンレス鋼などの金属等が挙げられる。
【００４１】
固定ビスのビス頭には、固定ビスを回転させるための工具が係合する溝、例えば、図２、図１１及び図１３に示す形態例では、十字形状の溝１４が、形成されている。ビス頭に形成されている溝の形状は、固定ビスを回転させるための工具を係合させることができる形状であれば、特に制限されない。
【００４２】
ビス頭回転抑止部材は、固定ビスが挿通される挿通孔を有しており、固定ビスのビス頭の周囲を囲むようにして配設される部材である。なお、ビス頭回転抑止部材が固定ビスのビス頭の周囲を囲むとは、固定ビスの回転が抑制されるような形状で、ビス頭の周囲に配設されていることを指す。
【００４３】
ビス頭回転抑止部材の形状は、固定ビスのビス頭の周囲に配設され且つ固定板に接合されることにより、固定ビスの回転が抑制される形状であればよい。
【００４４】
ビス頭回転抑止部材の挿通孔の内周面に形成されている座繰り部の形状としては、ビス頭の形状と対応する形状が好適に選択される。なお、ビス頭の形状と対応する形状とは、鋳物とその鋳物の鋳型のように対応する形状を指す。例えば、固定ビスとして、図２に示す固定ビス１ａが用いられている場合、固定ビス１ａのビス頭３ａと対応する形状の座繰り部が形成されているビス頭回転抑止部材としては、図３に示すビス頭回転抑止部材８ａが挙げられる。そして、座繰り部７ａの形状が、ビス頭３ａの側面形状と対応しているので、ビス頭３ａは、座繰り部７ａに嵌合し、このような嵌合により、座繰り部７ａ内でのビス頭３ａの回転が抑制される。
【００４５】
また、例えば、固定ビスとして、図１１に示す固定ビス１ｂが用いられている場合、固定ビス１ｂのビス頭３ｂと対応する形状の座繰り部が形成されているビス頭回転抑止部材としては、図１２に示すビス頭回転抑止部材８ｂが挙げられる。ビス頭回転抑止部材８ｂは、固定ビス１ｂが挿通される挿通孔６ｂを有しており、挿通孔６ｂの内周面には、平面形状が楕円形の座繰り部７ｂが形成されている。そして、座繰り部７ｂの形状が、ビス頭３ｂの側面形状と対応しているので、ビス頭３ｂは、座繰り部７ｂに嵌合し、このような嵌合により、座繰り部７ｂ内でのビス頭３ｂの回転が抑制される。また、ビス頭回転抑止部材３ｂの外周面３４１ｂ及び底面３４２ｂの形状は、図４に示す固定板５ａの内周面３５ａの形状と対応しているので、ビス頭回転抑止部材３ｂ用の固定板として、固定板５ａを用いることができる。
【００４６】
また、例えば、固定ビスとして、図１３に示す固定ビス１ｃが用いられている場合、固定ビス１ｃのビス頭３ｃと対応する形状の座繰り部が形成されているビス頭回転抑止部材としては、図１４に示すビス頭回転抑止部材８ｃが挙げられる。ビス頭回転抑止部材８ｃは、固定ビス１ｃが挿通される挿通孔６ｃを有しており、挿通孔６ｃの内周面には、平面形状が正六角形の座繰り部７ｃが形成されている。そして、座繰り部７ｃの形状が、ビス頭３ｃの側面形状と対応しているので、ビス頭３ｃは、座繰り部７ｃに嵌合し、このような嵌合により、座繰り部７ｃ内でのビス頭３ｃの回転が抑制される。また、ビス頭回転抑止部材３ｃの外周面３４１ｃ及び底面３４２ｃの形状は、図４に示す固定板５ａの内周面３５ａの形状と対応しているので、ビス頭回転抑止部材３ｃ用の固定板として、固定板５ａを用いることができる。
【００４７】
図１に示す形態例では、固定ビスのビス頭の上側の面が、固定板の防水シート側の面と、同じ高さであるが、本発明では、これに限定されず、図１５に示す形態例のように、固定ビスのビス頭の上側の面が、固定板の防水シート側の面１２より、低くなっていてもよい。また、ビス頭回転抑止部材の座繰り部は、固定ビスのビス頭全体と嵌合するように形成されていてもよいし、固定ビスのビス頭の一部と嵌合するように形成されていてもよく、ビス頭回転抑止部材の座繰り部と、固定ビスのビス頭の全体又は一部が嵌合することにより、固定ビスの回転が抑制されていればよい。
【００４８】
ビス頭回転抑止部材は、樹脂製である。ビス頭回転抑止部材を形成している樹脂としては、熱硬化性樹脂、熱可塑性樹脂などの合成樹脂、例えば、ポリ塩化ビニル樹脂、ポリオレフィン系樹脂、エチレン酢酸ビニル共重合体等の軟質の合成樹脂、合成ゴム系の材質等が挙げられる。これらのうち、防水シートの材質としては、ポリ塩化ビニル樹脂が、溶剤溶着性や熱融着性に優れる点で、好ましい。  
【００４９】
ビス頭回転抑止部材を形成している樹脂の硬さ、強度、軟化点等は、必要に応じて適宜選択される。
【００５０】
固定板は、固定ビスが挿通される貫通孔を有しており、且つ、ビス頭回転抑止部材が接合される部材である。固定板の形状は、ビス頭回転抑止部材の形状及び固定具の形状に合わせて、適宜選択される。
【００５１】
固定板は、樹脂製であるか、又は少なくともビス頭回転抑止部材と接合される部位に樹脂が被覆されている。
【００５２】
固定板の材質としては、特に制限されないが、例えば、鉄、ステンレス鋼などの金属、熱硬化性樹脂、熱可塑性樹脂などの合成樹脂等が挙げられる。
【００５３】
固定板が、表面が合成樹脂で被覆されている鋼板等の金属板の場合、固定板に被覆されている合成樹脂としては、ポリ塩化ビニル樹脂、ポリオレフィン系樹脂、エチレン酢酸ビニル共重合体等の軟質の合成樹脂、合成ゴム系の材質等が挙げられる。これらのうち、固定板に被覆されている合成樹脂としては、ポリ塩化ビニル樹脂が、溶剤溶着性や熱融着性に優れる点で、好ましい。
【００５４】
固定板が樹脂製の場合、固定板を形成している樹脂は、熱硬化性樹脂、熱可塑性樹脂などの合成樹脂、例えば、ポリ塩化ビニル樹脂、ポリオレフィン系樹脂、エチレン酢酸ビニル共重合体等の軟質の合成樹脂、合成ゴム系の材質等が挙げられる。
【００５５】
固定板が、表面に合成樹脂が被覆されている金属板の場合、例えば、合成樹脂被覆鋼板をプレス加工することにより、表面に合成樹脂が被覆されている金属板製の固定板を作製することができる。固定板が、合成樹脂板の場合、例えば、射出成形等の適宜の樹脂加工方法により、合成樹脂製の固定板を作製することができる。
【００５６】
図１〜図１５に示す形態例では、予め成型されたビス頭回転抑止部材の成形品を、固定ビス及び固定板と組み合わせることにより、固定具が形成されるが、固定具としては、これに限定されるものではない。例えば、先に固定ビスと固定板とを所定の位置に組み合わせ、次いで、固定ビスと固定板とを組み合わせたときに形成されるビス頭回転抑止部材の配設空間に樹脂を充填し成形すること、例えば、固定ビスのビス頭の周囲を囲むように熱硬化性樹脂を充填した後、熱硬化性樹脂を硬化させることや、固定ビスのビス頭の周囲を囲むように溶融させた熱可塑性樹脂を充填した後、熱可塑性樹脂を固化させること等により、形成された固定具であってもよい。つまり、ビス頭回転抑止部材の成形と配設と固定板への接合とが、固定ビスと固定板とを所定の位置に組み合わせたときに形成されるビス頭回転抑止部材の配設部位で行われてもよい。
【００５７】
具体的に説明すると、図１３に示す固定ビス１ｃ及び図１７に示す形状の固定板５ｇを用意する。固定板５ｇは、貫通孔３６ｇを有しており、固定板５ｇには、ビス頭及びビス頭回転抑止部材の配設空間３８１が形成されている。そして、図１８（Ａ）のように、固定板５ｇの貫通孔３６ｇに、固定ビス１ｃを挿通させて、固定ビス１ｃと固定板５ｇとを組み合わせる。固定ビス１ｃと固定板５ｇとを組み合わせることにより、ビス頭回転抑止部材の配設空間３８２が形成される。次いで、図１８（Ｂ）のように、ビス頭回転抑止部材の配設空間３８２に、熱硬化性樹脂３９を充填した後、加熱して熱硬化性樹脂を硬化させることにより、図１８（Ｃ）に示す固定具１１ｂを得る。固定具１１ｂでは、ビス頭３ｃの周囲を囲むように、ビス頭回転抑止部材８ｈが配設されており、ビス頭回転抑止部材８ｈは、固定板５ｇに接合している。また、図１８（Ｂ）に示す熱硬化性樹脂３９の代わりに、溶融させた熱可塑性樹脂を、ビス頭回転抑止部材の配設空間３８２に充填した後、冷却して固化させることにより、固定具を得ることもできる。
【００５８】
図１に示す形態例では、固定板の断熱材側の面は、平坦であるが、本発明ではこれに限定されず、固定板の断熱材側の面に、固定板の平坦部から断熱材側に向かって突出している凸部が形成されていてもよい。例えば、図１６に示す形態例の固定板５ｆは、貫通孔３６ｆを有しており、且つ、固定板５ｆの断熱材側の面１７に、円筒形の凸部１６が形成されている。
【００５９】
固定板として、固定板の断熱材側の面に断熱材に向かって突出している凸部が形成されている固定板が用いられている場合、凸部は、断熱材に形成されている凹部に収められる。そして、本発明の防水構造体のうち、固定板として、固定板の断熱材側の面に断熱材に向かって突出している凸部が形成されている固定板が用いられている形態では、断熱材に向かって突出している凸部が、断熱材に形成されている凹部に収められることにより、固定板の横揺れを防止する。
【００６０】
ビス頭回転抑止部材は、固定板に接合している。ビス頭回転抑止部材と固定板との接合形態は、固定ビスが嵌合しているビス頭回転抑止部材が回転しないように接合される形態であれば、特に制限されず、例えば、固定板及びビス頭回転抑止部材とを加熱することにより、固定板に被覆されている樹脂で融着された形態、ビス頭回転抑止部材と固定板とを組み合わせるときに、固定板に被覆されている樹脂に溶剤を塗布することにより、固定板に被覆されている樹脂で溶着された形態、ビス頭回転抑止部材と固定板とを組み合わせるときに、固定板とビス頭回転抑止部材との間に接着剤を塗布することにより、接着剤で接着された形態、熱可塑性樹脂で形成されているビス頭回転抑止部材を加熱することにより、ビス頭回転抑止部材を形成する熱可塑性樹脂で融着された形態、固定ビスと固定板とを所定の位置に組み合わせたときに形成されるビス頭回転抑止部材の配設空間に、熱硬化性樹脂を充填し硬化することにより、ビス頭回転抑止部材が成形されると共に固定板に接合された形態、固定ビスと固定板とを所定の位置に組み合わせたときに形成されるビス頭回転抑止部材の配設空間に、熱可塑性樹脂を充填し固化することにより、ビス頭回転抑止部材が成形されると共に固定板に接合された形態等が挙げられる。また、ビス頭回転抑止部材が固定板に接合する部位は、図１に示す形態例では、ビス頭回転抑止部材の外周面及び底面であり、また、図１８に示す形態例では、ビス頭回転抑止部材の外周面及び底面であるが、これに限定されるものではない。そして、ビス頭回転抑止部材と固定板との接合形態及びビス頭回転抑止部材が固定板に接合する部位は、固定ビスが嵌合しているビス頭回転抑止部材が回転しないように、適宜選択される。
【００６１】
図１に示す形態例では、固定板の平面形状は円形であるが、本発明ではこれに限定されず、固定板の平面形状としては、他には、四角形が挙げられる。また、図１に示す形態例では、固定板は平板状の板であるが、本発明ではこれに限定されず、他には、側面から見たときの形状がＬ字形状のものが挙げられる。また、図１に示す形態例では、１つの固定板に対して１つの固定ビスが挿通されているが、本発明ではこれに限定されず、１つの固定板に対して複数の固定ビスが挿通されていてもよい。例えば、図１９に示す固定板５ｈは、断熱材側の平面形状が長方形であり、側面から見たときの形状がＬ字形状であり、固定ビスが挿通される貫通孔３６ｈを３つ有している。そして、固定板５ｈに挿通される固定ビスのビス頭が、そのビス頭の側面形状に対応した形状の座繰り部が形成されているビス頭回転抑止部材に嵌合され、且つ、そのビス頭回転抑止部材が、固定板５ｈの内周面３５ｈに嵌合される。
【００６２】
固定板の防水シート側の面は、防水シートに接合している。固定板の防水シート側の面と防水シートとの接合形態は、強風に曝されても防水シートが固定板の防水シート側の面から剥がれない形態であれば、特に制限されず、例えば、防水シートに覆われた状態で、防水シートの上から、固定板の防水シート側の面に被覆されている樹脂を加熱することにより、固定板の防水シート側の面に被覆されている樹脂で融着された形態、防水シートを固定板の防水シート側の面に載置するときに、固定板の防水シート側の面に被覆されている樹脂に溶剤を塗布することにより、固定板の防水シート側の面に被覆されている樹脂で溶着された形態、防水シートを固定板の防水シート側の面に載置するときに、固定板の防水シート側の面に接着剤を塗布することにより、接着剤で接着された形態等が挙げられる。
【００６３】
図１に示す形態例では、ビス頭回転抑止部材の防水シート側の面も、防水シートに接合しているが、本発明では、ビス頭回転抑止部材の防水シート側の面は、防水シートに接合していてもよく、あるいは、防水シートに接合していなくてもよい。そして、ビス頭回転抑止部材の防水シート側の面も、防水シートに接合していることが、ビス頭回転抑止部材の回転を抑制する効果が高まる点で、好ましい。
【００６４】
本発明の防水構造体では、断熱材と固定具との間に、例えば、ポリエチレン製の織布からなる絶縁クロスシート、ガラス繊維製の防火用シート、ピンホール検査用のアルミ箔ラミネートシート等が介在されていてもよい。また、断熱材と防水シートとの間に、人の歩行を可能にする目的で、歩行用ボードとして、珪酸カルシウム板、石綿スレート板、軽量気泡コンクリート板等の高剛性板を介在させてもよい。
【００６５】
本発明の固定具は、本発明の防水構造体に用いられる固定具であり、固定ビスと、該固定ビスが挿通される固定板と、該固定ビスのビス頭の周囲を囲むビス頭回転抑止部材と、からなり、
該固定ビスのビス頭の平面形状が、外周上の異なる２点で、軸心からの長さが異なっている形状であり、
該固定板が、樹脂製の固定板又は少なくとも該ビス頭回転抑止部材と接合される部位が樹脂で被覆されている固定板であり、
該ビス頭回転抑止部材が、樹脂製であること、
を特徴とする固定具である。
【００６６】
本発明の固定具に係る固定ビス、固定板、ビス頭回転抑止部材は、本発明の防水構造体に係る固定ビス、固定板、ビス頭回転抑止部材と同様である。
【符号の説明】
【００６７】
１ａ、１ｂ、１ｃ、１ｄ  固定ビス
２          軸
３ａ、３ｂ、３ｃ、３ｄ  ビス頭
４          先端部
５ａ、５ｄ、５ｆ、５ｇ、５ｈ  固定板
６ａ、６ｂ、６ｃ  挿通孔
７ａ、７ｂ、７ｃ  座繰り部
８ａ、８ｂ、８ｃ  ビス頭回転抑止部材
１０        防水構造体
１１ａ、１１ｂ  固定具
１２        固定板の防水シート側の面
１４        溝
２１        躯体
２２        断熱材
２３        防水シート
２４        防水層
３１        第一点
３２        第二点
３３        軸心
３５ａ      内周面
３６ａ、３６ｆ、３６ｇ、３６ｈ  貫通孔
３９        熱硬化性樹脂
１２１      ビス頭回転抑止部材の防水シート側の面
３４１ａ、３４１ｂ、３４１ｃ  外周面
３４２ａ、３４２ｂ、３４２ｃ  底面
３８１      ビス頭及びビス頭回転抑止部材の配設空間
３８２      ビス頭回転抑止部材の配設空間
【産業上の利用可能性】
【００６８】
本発明によれば、強風に曝されても、防水層を固定するための固定ビスが緩み難い防水構造体を、躯体に施工することができる。
【図１】
0005822107.tif 000002
【図２】
0005822107.tif 000003
【図３】
0005822107.tif 000004
【図４】
0005822107.tif 000005
【図５】
0005822107.tif 000006
【図６】
0005822107.tif 000007
【図７】
0005822107.tif 000008
【図８】
0005822107.tif 000009
【図９】
0005822107.tif 000010
【図１０】
0005822107.tif 000011
【図１１】
0005822107.tif 000012
【図１２】
0005822107.tif 000013
【図１３】
0005822107.tif 000014
【図１４】
0005822107.tif 000015
【図１５】
0005822107.tif 000016
【図１６】
0005822107.tif 000017
【図１７】
0005822107.tif 000018
【図１８】
0005822107.tif 000019
【図１９】
0005822107.tif 000020
【図２０】
0005822107.tif 000021
【図２１】
0005822107.tif 000022
【図２２】
0005822107.tif 000023